(57)【要約】【課題】バッテリーを用いた駆動によって薬剤投与を開始する前に、薬剤投与を完了できるか否かを容易に判断することが可能な医療用ポンプおよび医療用ポンプシステムを提供する。【解決手段】設定に応じて薬剤を投与するためのポンプ駆動部と、ポンプ情報を発信する情報発信部と、前記ポンプ駆動部の駆動を制御するための演算処理部とを備え、バッテリーから供給された電力によって駆動される医療用ポンプであって、前記演算処理部は、前記ポンプ駆動部に対する前記薬剤の流量および投与量の設定入力または前記設定入力の後に前記薬剤の投与開始の指示入力がなされると、前記流量および前記投与量から算出した薬剤投与完了時間と、前記バッテリーの残量に基づいて算出したバッテリー持続可能時間とを比較し、前記薬剤投与完了時間が前記バッテリー持続可能時間を超える場合に、前記情報発信部に対して前記ポンプ駆動部による前記薬剤の投与を開始するか否かを判断するための補足情報を発信させる。【選択図】図１
2016182251.tif 000002
【特許請求の範囲】
【請求項１】
設定に応じて薬剤を投与するためのポンプ駆動部と、
ポンプ情報を発信する情報発信部と、
前記ポンプ駆動部の駆動を制御するための演算処理部とを備え、
バッテリーから供給された電力によって駆動される医療用ポンプであって、
前記演算処理部は、前記ポンプ駆動部に対する前記薬剤の流量および投与量の設定入力または前記設定入力の後に前記薬剤の投与開始の指示入力がなされると、前記流量および前記投与量から算出した薬剤投与完了時間と、前記バッテリーの残量に基づいて算出したバッテリー持続可能時間とを比較し、前記薬剤投与完了時間が前記バッテリー持続可能時間を超える場合に、前記情報発信部に対して前記ポンプ駆動部による前記薬剤の投与を開始するか否かを判断するための補足情報を発信させる
医療用ポンプ。
【請求項２】
前記ポンプ駆動部によって投与される前記薬剤に関する薬剤情報を有する記憶部を備え、
前記薬剤情報は、前記薬剤の投与が中断された場合の危険度を含み、
前記演算処理部は、投与される前記薬剤の前記危険度に対応する前記補足情報を発信させる
請求項１記載の医療用ポンプ。
【請求項３】
前記ポンプ駆動部によって投与される前記薬剤に関する薬剤情報を有する記憶部を備え、
前記薬剤情報は、前記流量を含み、
前記演算処理部は、前記流量および前記バッテリー持続可能時間から算出した薬剤投与が中断されるまでに投与される量である投与可能量と、前記投与量とを比較し、前記投与可能量が前記投与量の所定割合未満であるときに前記補足情報を発信させる
請求項１記載の医療用ポンプ。
【請求項４】
前記演算処理部は、前記バッテリー持続可能時間の算出に前記バッテリーの残量と共に前記情報発信部の出力とを用い、前記バッテリー持続可能時間として当該出力を低下させた場合の値を算出する
請求項１〜３の何れか一項に記載の医療用ポンプ。
【請求項５】
連携した薬剤投与を実施する複数の医療用ポンプと、演算処理部とを備えた医療用ポンプシステムであって、
前記各医療用ポンプは、
バッテリーから供給された電力によって駆動されるもので、
設定に応じて薬剤を投与するためのポンプ駆動部と、
ポンプ情報を発信する情報発信部と、
外部との通信を行なうための通信部とを備え、
前記演算処理部は、
前記医療用ポンプ毎に、前記ポンプ駆動部に対して設定された薬剤の流量および投与量から算出した薬剤投与完了時間と、前記バッテリーの残量に基づいて算出した当該各医療用ポンプにおけるバッテリー持続可能時間とを比較し、何れかの医療用ポンプにおいて前記薬剤投与完了時間が前記バッテリー持続可能時間を超える場合に、前記通信部を介して、当該各医療用ポンプにおける情報発信部に対して前記ポンプ駆動部による薬剤の投与を開始するか否かを判断するための補足情報を発信させる
医療用ポンプシステム。
【請求項６】
前記演算処理部は、前記各医療用ポンプの前記薬剤投与完了時間の算出に、前記ポンプ駆動部による薬剤投与の開始までの待機時間を加える
請求項５に記載の医療用ポンプシステム。
【発明の詳細な説明】
【技術分野】
【０００１】
本発明は医療用ポンプおよび医療用ポンプ管理システムに関し、特にはバッテリーで駆動される医療用ポンプおよび医療用ポンプシステムに関する。
【背景技術】
【０００２】
医療現場においては、一人の患者に対して複数の医療機器を装着した治療が行われている。医療機器の多くは、交流電源へのケーブル接続によって駆動されるが、例えば移動中や屋外等、交流電源に接続できない環境下での電力源としてバッテリーを搭載している。バッテリーによって駆動される医療機器においては、バッテリーの充電切れが患者の生命に係わるため、バッテリーの充電レベルを把握することが重要である。
【０００３】
このような医療機器を管理するための医療システムとして、下記特許文献１に示されるものがある。この医療システムでは、「脈拍センサー、血液酸素センサー、ペースメーカーなどの複数の無線医療構成要素と、ホスト装置とを有し、選択された構成要素のバッテリーに対し、普通に実行されるまたは実行を予定された処置で、バッテリーが尽きる時間を推定可能にする」としている。
【先行技術文献】
【特許文献】
【０００４】
【特許文献１】特開２０１２−１６１６１４号公報
【発明の概要】
【発明が解決しようとする課題】
【０００５】
しかしながら上述した医療システムでは、各無線医療構成要素（すなわち医療機器）におけるバッテリー寿命が推定されるに過ぎない。したがって、例えば医療用ポンプを用いた処置のように、ポンプの設定によって一定の流量で決められた投与量の薬剤を患者に投与する処置の実施において、この処置を完了できるか否かは、医療用ポンプの管理者がポンプの設定を考慮して予測する必要があった。
【０００６】
そこで本発明は、バッテリーを用いた駆動によって薬剤投与を開始する前に、薬剤投与を完了できるか否かを容易に判断することが可能な医療用ポンプおよび医療用ポンプシステムを提供することを目的とする。
【課題を解決するための手段】
【０００７】
この様な目的を達成するための本発明は、設定に応じて薬剤を投与するためのポンプ駆動部と、ポンプ情報を発信する情報発信部と、前記ポンプ駆動部の駆動を制御するための演算処理部とを備え、バッテリーから供給された電力によって駆動される医療用ポンプであって、前記演算処理部は、前記ポンプ駆動部に対する前記薬剤の流量および投与量の設定入力または前記設定入力の後に前記薬剤の投与開始の指示入力がなされると、前記流量および前記投与量から算出した薬剤投与完了時間と、前記バッテリーの残量に基づいて算出したバッテリー持続可能時間とを比較し、前記薬剤投与完了時間が前記バッテリー持続可能時間を超える場合に、前記情報発信部に対して前記ポンプ駆動部による前記薬剤の投与を開始するか否かを判断するための補足情報を発信させる。
【０００８】
また本発明は、連携した薬剤投与を実施する複数の医療用ポンプと、演算処理部とを備えた医療用ポンプシステムであって、前記各医療用ポンプは、バッテリーから供給された電力によって駆動されるもので、設定に応じて薬剤を投与するためのポンプ駆動部と、ポンプ情報を発信する情報発信部と、外部との通信を行なうための通信部とを備え、前記演算処理部は、前記医療用ポンプ毎に、前記ポンプ駆動部に対して設定された薬剤の流量および投与量から算出した薬剤投与完了時間と、前記バッテリーの残量に基づいて算出した当該各医療用ポンプにおけるバッテリー持続可能時間とを比較し、何れかの医療用ポンプにおいて前記薬剤投与完了時間が前記バッテリー持続可能時間を超える場合に、前記通信部を介して、当該各医療用ポンプにおける情報発信部に対して前記ポンプ駆動部による薬剤の投与を開始するか否かを判断するための補足情報を発信させる。
【発明の効果】
【０００９】
以上のような本発明の医療用ポンプおよび医療用ポンプシステムによれば、バッテリーを用いた駆動によって薬剤投与を開始する前に、バッテリー切れを生じることなく薬剤投与を完了できるか否かを容易に判断することが可能となる。
【図面の簡単な説明】
【００１０】
【図１】第１実施形態の医療用ポンプの構成図である。
【図２】第１実施形態の医療用ポンプの正面図である。
【図３】第１実施形態の医療用ポンプにおける薬剤投与開始時における薬剤情報の選択画面を示す図である。
【図４】第１実施形態の医療用ポンプにおける薬剤投与開始時においてポンプ駆動部に対して設定された設定画面の一例を示す図である。
【図５】第１実施形態の医療用ポンプにおける薬剤投与開始時に算出された薬剤投与完了時間の表示画面を示す図である。
【図６】第１実施形態の医療用ポンプにおける薬剤投与開始プログラムを説明するフローチャートである。
【図７】第２実施形態の医療用ポンプにおける薬剤投与開始時における表示部の輝度の選択画面を示す図である。
【図８】第２実施形態の医療用ポンプにおける薬剤投与開始プログラムを説明するフローチャートである。
【図９】第３実施形態の医療用ポンプシステムの構成図である。
【図１０】第３実施形態の医療用ポンプシステムにおける薬剤の連携投与開始プログラムを説明するフローチャートである。
【発明を実施するための形態】
【００１１】
以下、本発明を適用した医療用ポンプおよび医療用ポンプシステムに関する実施の形態を、図面に基づいて詳細に説明する。
【００１２】
≪第１実施形態の医療用ポンプ≫
図１は、本発明を適用した第１実施形態の医療用ポンプ１の構成図である。また図２は、実施形態の医療用ポンプ１の正面図である。尚、図中の符号（２），（１５’），（１９’）は、以降の第２実施形態の説明で用いる。
【００１３】
＜医療用ポンプの構成＞
これらの図１および図２に示すように、実施形態の医療用ポンプ１は、例えばシリンジポンプであって、バッテリーＢによって駆動されるものである。このような医療用ポンプ１は、ポンプ駆動部１１、操作部１３、情報発信部としての表示部１５、記憶部１７、演算処理部１９、およびバッテリー残量の残量検知部２１を備えている。これらの各構成要素の詳細は、次のようである。
【００１４】
［ポンプ駆動部１１］
ポンプ駆動部１１は、操作部１３での操作による設定に応じて薬剤を投与するための部分であって、医療用ポンプ１が図示したシリンジポンプであれば、シリンジを駆動させる部分である。また、医療用ポンプ１が、輸液ポンプであれば、輸液バッグに接続された輸液チューブ内の輸液を排出させる駆動部分となる。
【００１５】
［操作部１３］
操作部１３は、例えば電源操作部、ポンプ動作を開始させるための操作部、表示部１５の表示切り替え部、さらには各種の設定を操作するための設定操作部を含む。このような操作部１３の操作によって、ポンプ駆動部１１の駆動状態、さらには表示部１５の表示内容、表示部１５に表示された選択情報の選択、および表示部１５の輝度の選択が操作される。
【００１６】
尚、ここでの図示は省略したが、医療用ポンプ１が、情報発信部としての警報音発生部を備えている場合であれば、操作部１３によって、警報音発生部における発生内容および音量設定が操作される。
【００１７】
［表示部１５］
表示部１５は、ポンプ情報を発信する情報発信部として設けられたものであり、例えば液晶表示パネルや有機ＥＬ表示パネル等の表示パネルである。この表示部１５は、例えば図３に示すような各種の選択肢情報、図４に示すようなポンプ駆動部１１の設定に関する情報、さらには図５に示すようなポンプ駆動部１１による薬剤の投与を開始するか否かを判断するための補足情報を表示する。また、この表示部１５には、この医療用ポンプ１が、交流電源への接続によって駆動される状態にあるか、またはバッテリーＢによって駆動される状態にあるかが示される。図示した例においては、コンセントマークが使用不可能な表示となっており、バッテリーマークが明表示であるため、バッテリーＢによって駆動される状態であることが示されている。
【００１８】
表示部１５に表示されるこれらの情報は、演算処理部１９からの指示によって表示される、その一部は操作部１３での操作の結果として表示される情報である。
【００１９】
尚、各医療用ポンプ１には、表示部１５として、上述した表示パネルの他に、警告灯や表示ランプなどが設けられていてもよい。この場合、警告灯や表示ランプは、点灯や点滅によって上述した補足情報を発信してもよい。
【００２０】
［記憶部１７］
記憶部１７は、医療用ポンプ１で投与される各種の薬剤に関する薬剤情報を記憶している。薬剤情報としては、例えば、当該薬剤を投与する際の流量、投与量、投与が中断された場合の危険度である。
【００２１】
［演算処理部１９］
演算処理部１９は、ポンプ駆動部１１、操作部１３、表示部１５、記憶部１７に接続して設けられ、予め設定されたプログラムおよび操作部１３での操作にしたがって、ポンプ駆動部１１および表示部１５の駆動を制御する。またこの演算処理部１９は、薬剤の投与を開始する前に、薬剤投与開始プログラムを実行する部分である。演算処理部１９によって実行される薬剤投与開始プログラムの詳細については後述する。
【００２２】
［残量検知部２１］
残量検知部２１は、この医療用ポンプ１に適用されるバッテリーＢの種類に合わせた残量計であってよい。この残量検知部２１で検知されたバッテリー残量は、表示部１５のバッテリーマークに段階的に表示される構成となっている。
【００２３】
［バッテリーＢ］
バッテリーＢは、演算処理部１９を介してポンプ駆動部１１、操作部１３、および表示部１５に電力を供給する。このバッテリーＢは、例えば充電式バッテリーであり、医療用ポンプ１に対して、着脱自在であって、所定の状態で接続して用いられる。
【００２４】
尚、この医療用ポンプ１には、ここでの図示を省略した交流電源接続用のコンセントを備えており、交流電源へのケーブル接続により、演算処理部１９、ポンプ駆動部１１、操作部１３、表示部１５、およびバッテリーＢに、交流電源からの電力が供給される構成となっている。
【００２５】
＜演算処理部１９によって実行される薬剤投与開始プログラム＞
図６は、演算処理部１９によって実行される薬剤投与開始プログラムを説明するフローチャートである。以下、図６のフローチャートに従い、先の図１および必要に応じた図を参照しつつ演算処理部１９によって実行される薬剤投与開始プログラムを説明する。
【００２６】
［ステップＳ１０１］
ステップＳ１０１として、医療用ポンプ１の管理者は、この医療用ポンプ１のポンプ駆動部に対して設定する薬剤投与の流量および投与量を入力する。ここでは例えば、管理者が医療用ポンプ１の操作部１３を操作することにより、演算処理部１９は記憶部１７に記憶された薬剤情報を表示部１５に表示させる。一例として、図３の表示画像に示すように、各薬剤情報に紐付けされたタグ（Library 1〜Library 3)が表示される。管理者は、操作部１３を操作することにより、タグ（Library 1〜Library 3)の中から、ここで投与する薬剤情報のタグ（例えばLibrary 2）を選択する。
【００２７】
これにより、管理者による薬剤投与の流量および投与量の設定がなされる。そして、図４の表示画像に示すように、選択されたタグ（Library 2)に紐付けされた薬剤情報のうち、薬剤投与の設定として、薬剤投与の流量（１００ｍｌ／ｈ）および全体の投与量（２４０ｍｌ）が、表示部１５に表示される。
【００２８】
［ステップＳ１０２］
ステップＳ１０２として、医療用ポンプ１の管理者は、投与開始の指示を入力する。ここで管理者は、図４の表示画像に示された薬剤投与の設定内容を確認し、操作部１３からの入力によって、投与開始の指示を入力する。
【００２９】
以上のステップＳ１０１またはステップＳ１０２の入力がトリガとなり、以下ステップＳ１１以降の演算処理部１９による薬剤投与開始プログラムが開始される。
【００３０】
［ステップＳ１１］
ステップＳ１１において、演算処理部１９は、ステップＳ１０１でポンプ駆動部に対して設定された薬剤の流量および投与量から、薬剤投与が完了するまでに要する薬剤投与完了時間（ｔ０）を算出する。例えば、流量（１００ｍｌ／ｈ）、投与量（２４０ｍｌ）の設定であれば、薬剤投与完了時間（ｔ０）は、２．４時間（２時間２４分）となる。ここで算出した結果は、図５の表示画像に示すように表示部１５に表示させてもよい。
【００３１】
［ステップＳ１２］
次のステップＳ１２において、演算処理部１９は、バッテリーＢの残量から算出したバッテリー持続可能時間（ｔ１）を算出する。尚、バッテリー持続可能時間（ｔ１）の算出には、バッテリーＢの残量の他、ポンプ駆動部１１の出力および駆動設定も参照し、設定された状態でポンプ駆動部１１を駆動させた場合のバッテリー持続可能時間（ｔ１）として算出する。
【００３２】
［ステップＳ１３］
次にステップＳ１３において、演算処理部１９は、ステップＳ１１で算出した薬剤投与完了時間（ｔ０）と、ステップＳ１２で算出したバッテリー持続可能時間（ｔ１）とを比較し、薬剤投与完了時間（ｔ０）がバッテリー持続可能時間（ｔ１）を超えるか、すなわちｔ０＞ｔ１であるか否かを判断する。ｔ０＞ｔ１ではない（Ｎｏ）と判断された場合には、ステップＳ１４に進む。一方、ｔ０＞ｔ１である（Ｙｅｓ）と判断された場合には、ステップＳ１５に進む。
【００３３】
［ステップＳ１４］
ステップＳ１４において、演算処理部１９は、薬剤投与を開始する。ここでは、演算処理部１９での制御により、ステップＳ１０１において設定した流量で薬剤が投与されるようにポンプ駆動部１１の駆動が開始され、薬剤投与開始プログラムを終了する。
【００３４】
［ステップＳ１５］
一方、ステップＳ１５において、演算処理部１９は、記憶部１７に記憶された薬剤情報を参照し、ポンプ駆動部１１によって投与される薬剤についての薬剤情報に基づいて、薬剤投与が中断された場合のリスクの有無を判断する。ここで演算処理部１９は、ステップＳ１０１で選択された薬剤情報のタグ（例えばLibrary 2）に紐付けされた薬剤情報を参照して判断を実施する。ここでの薬液情報を参照した判断の具体例は、例えば次の（１）〜（３）ようである。
【００３５】
（１）薬剤情報が、薬剤投与が中断された場合の危険度を含んでいる場合
この場合、例えば薬剤投与が中断された場合の危険度が「小」、「中」、「大」の３つに区分されており、薬剤情報における薬剤投与が中断された場合の危険度が「中」および「大」である薬剤については、薬剤投与中断のリスクがあると判断する。
【００３６】
（２）薬剤情報が、薬剤を投与する際の流量を含む場合
この場合、ステップＳ１２で算出したバッテリー持続可能時間（ｔ１）および薬剤情報における流量から算出した薬剤投与が中断されるまでに投与される投与可能量が、ステップＳ１０１でポンプ駆動部に対して設定された薬剤の投与量に対して所定割合未満であればリスクがあると判断する。
【００３７】
（３）薬剤情報が、薬剤を投与する際の流量および投与量を含む場合
この場合、上記（２）と同様の投与可能量が、薬剤情報における投与量に対して所定割合未満であればリスクがあると判断する。
【００３８】
以上のように、薬剤投与が、設定された投与量に達する以前に中断された場合にリスクを有する薬剤としては、例えばプロポフォールなどの鎮静剤、レミフェンタニルなどの鎮痛剤、ロクロニウムなどの筋弛緩剤といった麻酔薬が例示される。これらの薬剤は、中断によって麻酔から覚醒してしまう恐れや、筋弛緩効果が得られない恐れがある。また別の薬剤として、ドーパミン、ドブタミン、アドレナリン、ノルアドレナリンなどのカテコラミン系の薬剤が例示される。これらの薬剤は、心疾患患者などに投与する際に中断された場合、血圧が低下する恐れがある。
【００３９】
以上のような判断において、薬剤投与中断のリスクなし？に対して、なし（Ｙｅｓ）と判断された場合には、先のステップＳ１４に進んで薬剤投与を開始し、薬剤投与開始プログラムを終了する。一方、薬剤投与中断のリスクなし？に対して、あり（Ｎｏ）と判断された場合には、次のステップＳ１６に進む。
【００４０】
［ステップＳ１６］
ステップＳ１６において、演算処理部１９は、薬剤投与を完了できないとの警告を、表示部１５に対して表示させる。この警告は、ポンプ駆動部１１による薬剤の投与を開始するか否かを判断するための補足情報であり、記憶部に記憶された薬剤情報を用いたステップＳ１５の判断にしたがって発信された補足情報である。
【００４１】
尚、上述したステップＳ１５の判断において、具体例（１）として例示したように、危険度が大きさ別に区分されている場合、本ステップＳ１６において表示部１５に対して表示させる警告を、薬剤投与が中断された場合の危険度ごとに異なる表示とすることもできる。
【００４２】
［ステップＳ１７］
次いでステップＳ１７において、演算処理部１９は、表示部１５に対して、強制投与を実施するか否かを選択するための選択表示を実施させる。ここれにより、表示部１５には、例えば強制投与を「実施する」および「実施しない」の選択肢が表示される。
【００４３】
［ステップＳ１０３］
ステップＳ１０３では、医療用ポンプ１の管理者は、ステップＳ１７での処理にしたがって表示部１５に表示された選択肢に対し、操作部１３を操作して「実施する」または「実施しない」の何れかを選択して入力する。
【００４４】
［ステップＳ１８］
ステップＳ１８において、演算処理部１９は、ステップＳ１０３での入力で、「実施する」が選択されたか否かを判断し、「実施する」（Ｙｅｓ）が選択された場合にはステップＳ１４に進んで薬剤投与を開始し、薬剤投与開始プログラムを終了する。一方、「実施しない」（Ｎｏ）が選択された場合には、次のステップＳ１９に進む。
【００４５】
［ステップＳ１９］
ステップＳ１９において、演算処理部１９は、医療用ポンプ１による薬剤投与を中止させ、薬剤投与開始プログラムを終了する。
【００４６】
＜第１実施形態の効果＞
以上の第１実施形態の医療用ポンプ１は、ポンプ駆動部１１に対して設定された薬剤投与の際の流量および投与量から算出された薬剤投与完了時間（ｔ０）と、バッテリー残量から算出されたバッテリー持続可能時間（ｔ１）とを比較した結果に基づいて、表示部１５から薬剤投与開始の判断のための警告を発する構成である。このため、医療用ポンプ１の管理者は、バッテリーＢを用いた駆動によって薬剤投与を開始する前に、バッテリー切れを生じることなく薬剤投与を完了できるか否かを容易に知ることができる。そして、この情報にもとづいて、薬剤投与の開始を判断することが可能となる。
【００４７】
また特に第１実施形態においては、バッテリー残量と共に、薬剤投与を中断することによるリスクの有無を、薬剤投与の開始の判断に用いている。このため、薬剤投与を中断することによるリスクが無い場合には、一先ず、薬剤投与を開始し、タイミングを見計らってバッテリー交換を実施するといったフレキシブルな対応を、安心して実施することが可能になる。
【００４８】
＜第１実施形態の変形例＞
尚、以上説明した第１実施形態の演算処理部１９において実施される薬剤投与開始プログラムでは、ステップＳ１３において［薬剤投与完了時間（ｔ０）］＞［バッテリー持続可能時間（ｔ１）］である（Ｙｅｓ）と判断され、かつ、ステップＳ１５において薬剤投与中断のリスクなし？に対してあり（Ｎｏ）と判断された場合に、ステップＳ１６における警告（補足情報）の発報、およびステップＳ１７における強制投与を「実施する」および「実施しない」の選択肢の表示を実施する構成とした。
【００４９】
しかしながら、ステップＳ１３においてｔ０＞ｔ１である（Ｙｅｓ）と判断された後、かつステップＳ１５に進む前にも、ステップＳ１６およびステップＳ１７を実施することで、医療用ポンプ１の管理者が薬剤投与を実施するか否かを２段階で判断出来るようにしてもよい。
【００５０】
またさらに別の例として、ステップＳ１３においてｔ０＞ｔ１である（Ｙｅｓ）と判断された場合に、ステップＳ１５における薬剤投与中断のリスク判断を実施せず、ステップＳ１６およびステップＳ１７を実施することで、医療用ポンプ１の管理者が薬剤投与を実施するか否かを判断出来るようにしてもよい。
【００５１】
≪第２実施形態の医療用ポンプ≫
次に、先の図１を用いて、本発明を適用した第２実施形態の医療用ポンプ２の構成を説明する。
【００５２】
＜医療用ポンプの構成＞
第２実施形態の医療用ポンプ２が第１実施形態の医療用ポンプと異なるところは、表示部１５’の構成、および演算処理部１９’において実行される薬剤投与開始プログラムにある。他の構成は第１実施形態と同様であるため、重複する説明は省略し、表示部１５’および演算処理部１９’の構成を説明する。
【００５３】
［表示部１５’］
表示部１５’は、ポンプ情報を発信する情報発信部として設けられたものであり、第１実施形態では説明していない機能として、出力の設定、すなわち表示輝度を調整する機能を備えたものである。また表示部１５’は、操作部１３での操作により、輝度を選択する選択肢情報を表示し（図７参照）、また選択肢情報の中から輝度が選択される機能を備えている。
【００５４】
一例として、表示部１５’は、図７に示したように、輝度レベル１〜５の５段階に表示輝度を調整可能であり、通常は輝度レベル３をデフォルト値として表示画像が表示されていることとする。
【００５５】
［演算処理部１９’］
演算処理部１９’が、第１実施形態の演算処理部と異なるところは、薬剤の投与を開始する前に実行される薬剤投与開始プログラムにあり、表示部１５’の出力をバッテリー持続可能時間（ｔ１’）の算出に用いる手順を追加した構成である。次に、演算処理部１９’によって実行される薬剤投与開始プログラムの詳細を説明する。
【００５６】
＜演算処理部１９’によって実行される薬剤投与開始プログラム＞
図８は、演算処理部１９’によって実行される薬剤投与開始プログラムの特徴部を説明するフローチャートであり、第１実施形態で説明した薬剤投与プログラムに対して追加された部分を示す図である。以下、図８のフローチャートに従い、先の図１，図６を参照しつつ演算処理部１９’によって実行される薬剤投与開始プログラムを説明する。
【００５７】
先ず、医療用ポンプ２の管理者による操作、および演算処理部１９’での処理として、第１実施形態において図６を用いて説明した手順のうち、ステップＳ１０１〜Ｓ１３までを実施し、ステップＳ１３において［薬剤投与完了時間（ｔ０）］＞［バッテリー持続可能時間（ｔ１）］であるか否かを判断する。そして、ステップＳ１３において、ｔ０＞ｔ１ではない（Ｎｏ）と判断された場合には、ステップＳ１４に進み、設定した流量で薬剤が投与されるようにポンプ駆動部１１の駆動が開始され、薬剤投与開始プログラムを終了する。以上までは、第１実施形態と同様に実施される。
【００５８】
一方、図８に示すように、ステップＳ１３において、ｔ０＞ｔ１である（Ｙｅｓ）と判断された場合には、次のステップＳ２１に進む。
【００５９】
［ステップＳ２１］
ステップＳ２１において、演算処理部１９’は、表示部の輝度を下げた場合のバッテリー持続可能時間（ｔ１’）を算出する。ここでは、表示部１５’の輝度を、現在の輝度から、１段階以上低下させた場合についての表示部１５’の出力の低下分を加算し、バッテリー持続可能時間（ｔ１’）を算出する。この際、輝度を低下させる度合いは、予め最低の輝度レベル１としてもよいし、医療用ポンプ２の管理者が操作部１３を操作することによって選択できる構成としてもよい。
【００６０】
［ステップＳ２２］
ステップＳ２２において、演算処理部１９’は、ステップＳ１１で算出した薬剤投与完了時間（ｔ０）と、ステップＳ２１で算出したバッテリー持続可能時間（ｔ１’）とを比較し、薬剤投与完了時間（ｔ０）がバッテリー持続可能時間（ｔ１’）よりも大きいか否か、すなわちｔ０＞ｔ１’であるか否かを判断する。
【００６１】
ｔ０＞ｔ１’である（Ｙｅｓ）と判断された場合、すなわち薬剤投与完了時間（ｔ０）がバッテリー持続可能時間（ｔ１’）を超えると判断された場合には、図６に示したステップＳ１５に進み、以降は第１実施形態で説明した手順を実施する。一方、ｔ０＞ｔ１’ではない（Ｎｏ）と判断された場合には、ステップＳ２３（図８）に進む。
【００６２】
［ステップＳ２３］
ステップＳ２３において、演算処理部１９’は、表示部１５’に対して、表示部１５’の輝度を、輝度レベル１、またはステップＳ２１でのバッテリー持続可能時間（ｔ１’）の算出に適用した輝度レベルにまで下げて薬剤投与を実施するか否かを選択するための選択表示（補足情報）を表示させる。ここれにより、表示部１５’には、輝度レベルを下げて薬剤投与を「実施する」および「実施しない」の選択肢が表示される。
【００６３】
［ステップＳ２０１］
ステップＳ２０１では、医療用ポンプ２の管理者は、ステップＳ２３での処理にしたがって表示部１５’に表示された選択肢に対し、操作部１３を操作して「実施する」または「実施しない」の何れかを選択して入力する。
【００６４】
［ステップＳ２４］
ステップＳ２４において、演算処理部１９’は、ステップＳ２０１での入力で、「実施する」が選択されたか否かを判断し、「実施する」（Ｙｅｓ）が選択された場合にはステップＳ２５に進む。一方、「実施しない」（Ｎｏ）が選択された場合には、ステップＳ１９に進み、医療用ポンプ２による薬剤投与を中止させ、薬剤投与開始プログラムを終了する。
【００６５】
［ステップＳ２５］
ステップＳ２５において、演算処理部１９’は、表示部１５’の輝度を、輝度レベル１、またはステップＳ２１でのバッテリー持続可能時間（ｔ１’）の算出に適用した輝度レベルにまで低下させ、次のステップＳ１４に進んで薬剤投与を開始し、薬剤投与開始プログラムを終了する。
【００６６】
＜第２実施形態の効果＞
以上の第２実施形態の医療用ポンプ２は、バッテリー持続可能時間（ｔ１’）を算出するための要因として、表示部１５’の輝度レベルを低下させた場合の出力低下を加えた構成である。これにより、第１実施形態の効果に加え、さらに、薬剤投与開始の判断の選択肢を広げることができる。したがって、さらにフレキシブルな対応を実施することが可能になる。
＜第２実施形態の変形例＞
本第２実施形態においても、第１実施形態の変形例を適用することができる。
【００６７】
≪第３実施形態の医療用ポンプシステム≫
図９は、本発明を適用した第３実施形態の医療用ポンプシステム３の構成図である。図９に示す医療用ポンプシステム３は、複数の医療用ポンプ１ａを備えており、複数の医療用ポンプ１ａを連携させた薬剤投与（以下、連携投与）を実施するものである。ここで用いられる各医療用ポンプ１ａが、先に説明した第１実施形態の医療用ポンプと異なるところは、通信部３０が追加されている点、および演算処理部１９ａにおいて実行される薬剤投与開始プログラムにある。以下、第１実施形態と重複する説明は省略し、通信部３０および演算処理部１９ａの構成を説明する。
【００６８】
［通信部３０］
通信部３０は、医療用ポンプ１ａ相互の通信を図るためのものであり、例えば赤外線による送信および受信機能を備えている。
【００６９】
［演算処理部１９ａ］
演算処理部１９ａが、第１実施形態の演算処理部と異なるところは、薬剤の投与を開始する前に実行される薬剤投与開始プログラムにあり、各医療用ポンプ１ａの薬剤投与完了時間（ｔ０ａ）の算出に、ポンプ駆動部１１による薬剤投与の開始までの待機時間（ｔａ）を加えるところにある。ここで待機時間（ｔａ）とは、複数の医療用ポンプ１ａによる連携投与を開始してから、実際に各医療用ポンプ１ａのポンプ駆動部１１が駆動を開始するまでの時間である。
【００７０】
また演算処理部１９ａは、通信部３０に接続して設けられ、他の医療用ポンプ１ａの演算処理部１９ａと共に、医療用ポンプ１ａ間の通信を確立させる。
【００７１】
次に、演算処理部１９ａによって実行される薬剤投与開始プログラムの詳細を説明する。
【００７２】
＜演算処理部１９ａによって実行される薬剤投与開始プログラム＞
図１０は、各医療用ポンプ１ａの演算処理部１９ａによって実行される薬剤投与開始プログラムの特徴部を説明するフローチャートであり、第１実施形態で説明した薬剤投与プログラムに対して変更された部分を示す図である。以下、図６および図１０のフローチャートに従い、先の図９を参照しつつ、演算処理部１９ａによって実行される薬剤投与開始プログラムを説明する。
【００７３】
［ステップＳ１０１ａ］
ステップＳ１０１ａとして、医療用ポンプの管理者は、複数の医療用ポンプ１ａを用いた薬剤の連携投与において、複数の医療用ポンプ１ａのうち何れの医療用ポンプ１ａを用いて連携投与を実施するのかを設定する。
【００７４】
また管理者は、連携投与に用いられる各医療用ポンプ１ａのポンプ駆動部に対して設定する薬剤投与の流量および投与量を入力する。ここでは例えば、管理者が各医療用ポンプ１ａの操作部１３を操作することにより、演算処理部１９ａは記憶部１７に記憶された薬剤情報を表示部１５に表示させる。一例として、図３の表示画像に示すように、各薬剤情報に紐付けされたタグ（Library 1〜Library 3)が表示される。管理者は、操作部１３を操作することにより、タグ（Library 1〜Library 3)の中から、ここで投与する薬剤情報のタグ（例えばLibrary 2）を選択する。
【００７５】
これにより、管理者による連携投与の流量および投与量の設定、および連携投与における連携の設定がなされる。以下、例えば、２台の医療用ポンプ１ａにより、同種類の薬剤を、流量（１００ｍｌ／ｈ）および投与量（２４０ｍｌ）で連続して投与する設定がなされたこととして説明を行う。
【００７６】
［ステップＳ１０２ａ］
ステップＳ１０２ａとして、医療用ポンプシステム３の管理者は、複数の医療用ポンプ１ａによる連携投与開始の指示を入力する。ここで管理者は、連携して用いられる複数の医療用ポンプ１ａのうちの一台の医療用ポンプ１ａの操作部１３からの入力によって、連携投与開始の指示を入力する。この場合、例えば、２台の医療用ポンプ１ａのうち、連携投与開始の指示を入力した医療用ポンプ１ａが、１台目に駆動される医療用ポンプ１ａとして設定されるようにしてもよい。尚、３台以上の医療用ポンプ１ａを用いて、連続した薬剤投与を実施する連携投与を行う場合、２台目以降の駆動順は医療用ポンプの管理者が、各医療用ポンプ１ａの操作部１３からの入力によって設定してもよいし、演算処理部１９ａに組み込まれたプログラムによって自動的に設定される構成であってもよい。
【００７７】
以上のステップＳ１０２ａの入力がトリガとなり、以下ステップＳ１１ａ以降の演算処理部１９ａによる薬剤投与開始プログラムが開始される。
【００７８】
［ステップＳ１１ａ］
ステップＳ１１ａにおいて、各医療用ポンプ１ａの演算処理部１９ａは、ステップＳ１０１ａで各医療用ポンプ１ａのポンプ駆動部１１に対して設定された薬剤の流量、投与量、および待機時間（ｔａ）から、薬剤投与が完了するまでに要する薬剤投与完了時間（ｔ０ａ）を算出する。
【００７９】
例えば、この医療用ポンプ１ａが、連続した連携投与において１台目に駆動されるもので、流量（１００ｍｌ／ｈ）、投与量（２４０ｍｌ）の設定であれば、薬剤投与完了時間（ｔ０ａ）は、［実際の投与時間２．４時間（２時間２４分）］＋［待機時間（ｔａ）＝０時間］＝２時間２４分となる。
【００８０】
また、この医療用ポンプ１ａが、連続した連携投与において２台目に駆動されるもので、流量（１００ｍｌ／ｈ）、投与量（２４０ｍｌ）の設定であれば、薬剤投与完了時間（ｔ０ａ）は、［実際の投与時間２．４時間（２時間２４分）］＋［待機時間（ｔａ）＝２時間２４分］＝４時間４８分となる。尚、ここでは、２台目に駆動される医療用ポンプ１ａにおける待機時間（ｔａ）は、１台目に駆動される医療用ポンプ１aによる薬剤投与完了時間（ｔ０ａ）に相当する。
【００８１】
さらに、３台以上の医療用ポンプ１ａを用いて、連続した薬剤投与を実施する連携投与を行う場合、３台目以降の医療用ポンプ１ａにおける待機時間（ｔａ）は、それ以前に駆動される全ての医療用ポンプ１ａにおける実際の投与時間を合計した時間となる。
【００８２】
またここで算出した結果は、各医療用ポンプ１ａの表示部１５に表示させてもよい。
【００８３】
［ステップＳ１２］
次のステップＳ１２において、各医療用ポンプ１ａの演算処理部１９ａは、第１実施形態と同様にバッテリーＢの残量から算出したバッテリー持続可能時間（ｔ１）を算出する。
【００８４】
［ステップＳ１３ａ］
次にステップＳ１３ａにおいて、各医療用ポンプ１ａの演算処理部１９ａは、ステップＳ１１ａで算出した薬剤投与完了時間（ｔ０ａ）と、ステップＳ１２で算出したバッテリー持続可能時間（ｔ１）とを比較し、薬剤投与完了時間（ｔ０ａ）がバッテリー持続可能時間（ｔ１）よりも大きいか、すなわちｔ０ａ＞ｔ１であるか否かを判断する。ｔ０ａ＞ｔ１ではない（Ｎｏ）と判断された場合には、ステップＳ３１に進む。一方、ｔ０ａ＞ｔ１である（Ｙｅｓ）、すなわち薬剤投与完了時間（ｔ０ａ）がバッテリー持続可能時間（ｔ１）を超えると判断された場合には、ステップＳ３２に進む。
【００８５】
［ステップＳ３１］
ステップＳ３１において、各医療用ポンプ１ａの演算処理部１９ａは、連携投与を行う他の医療用ポンプ１ａから、警告を受信したか否かを判断する。警告を受信した場合（Ｙｅｓ）には、ステップＳ１５に進み、以降は第１実施形態において図６を用いて説明したと同様に行う。
【００８６】
一方、警告を受信していない場合（Ｎｏ）には、ステップＳ１４に進んで薬剤投与を開始し、薬剤投与開始プログラムを終了する。
【００８７】
［ステップＳ３２］
ステップＳ３２において、各医療用ポンプ１ａの演算処理部１９ａは、通信部３０に対して、連携投与を行う他の医療用ポンプ１ａに向けて、薬剤投与を完了できない警告を送信させる。その後は、ステップＳ１５に進み、以降は第１実施形態において図６を用いて説明したと同様に行う。
【００８８】
＜第３実施形態の効果＞
以上の第３実施形態の医療用ポンプシステム３は、複数の医療用ポンプ１ａを連携させて薬剤投与を実施する場合に、連携する全ての医療用ポンプ１ａについて、実際の投与開始までの待機時間（ｔａ）を含む薬剤投与完了時間（ｔ０ａ）とバッテリー持続可能時間（ｔ１）とを比較した結果に基づいて、薬剤投与開始の判断のための警告を表示部１５から発する構成である。
【００８９】
このため、医療用ポンプシステム３の管理者は、バッテリーＢを用いた駆動によって連携投与を開始する前に、バッテリー切れを生じることなく連携投与を完了できるか否かを容易に知ることができる。そして、この情報に基づいて、連携投与の開始を判断することが可能となる。
【００９０】
また第３実施形態においても、バッテリー残量と共に、薬剤投与を中断することによるリスクの有無を、薬剤投与の開始の判断に用いている。このため、薬剤投与を中断することによるリスクが無い場合には、一先ず、薬剤投与を開始し、タイミングを見計らってバッテリー交換を実施するといったフレキシブルな対応を、安心して実施することが可能になる。
【００９１】
＜第３実施形態の変形例＞
以上の第３実施形態は、第２実施形態と組み合わせ、バッテリー持続可能時間（ｔ１）を、表示部（情報発信部）の出力を低下させた場合のバッテリー持続可能時間（ｔ１’）として判断を実施する手順を追加することも可能である。これによって第２実施形態の効果を得ることもできる。
【００９２】
また第３実施形態においては、複数の医療用ポンプ１ａが相互に通信可能な構成として医療用ポンプシステム３を説明した。しかしながら、本発明の医療用ポンプシステムは、複数の医療用ポンプ１ａが、ホストコンピュータのようなシステム制御部を介して相互に送受信可能なものであったり、複数の医療用ポンプ１ａが装着されるポンプ用架台の通信部を介して送受信可能なものであってもよい。このような場合、上述した薬剤投与開始プログラムは、各医療用ポンプ１ａの演算処理部において実施される構成に限定されず、システム制御部の演算処理部や、ポンプ用架台の通信部に接続させた演算処理部において実施される構成であってもよい。
【００９３】
尚、本発明は上述しかつ図面に示した実施形態および変形例に限定されるものではなく、特許請求の範囲に記載した発明の要旨を逸脱しない範囲内で種々の変形実施が可能である。例えば、以上の実施形態および変形例においては、情報発信部として表示部を設けた構成を説明したが、情報発信部は警報音発生部であってもよく、この場合は、補足情報として警告音の発報や音声案内を実施してもよい。
【符号の説明】
【００９４】
１，１ａ，２…医療用ポンプ、３…医療用ポンプシステム、１１…ポンプ駆動部、１５，１５’…情報発信部、１７…記憶部、１９，１９’，１９ａ…演算処理部、３０…通信部、ｔ０，ｔ０ａ…薬剤投与完了時間、ｔ１，ｔ１’…バッテリー持続可能時間、ｔａ…待機時間、Ｂ…バッテリー
【図１】
2016182251.tif 000003
【図２】
2016182251.tif 000004
【図３】
2016182251.tif 000005
【図４】
2016182251.tif 000006
【図５】
2016182251.tif 000007
【図６】
2016182251.tif 000008
【図７】
2016182251.tif 000009
【図８】
2016182251.tif 000010
【図９】
2016182251.tif 000011
【図１０】
2016182251.tif 000012